(57)【特許請求の範囲】
【請求項１】
磁極を対向させた一対の磁石をパイプを隔てて配置した流体の活性化装置において、前記パイプの一対の磁石を隔てる部分の径を縮小して磁石の対向する部分の流速を増加させるようにするとともに、前記磁石を隔てるパイプの外周に非磁性体で導電性の金属箔あるいは金属フィルムで金属層を形成し、その金属層を形成する金属箔あるいは金属フィルムとパイプとの間に樹脂製のフィルム層を設けた流体の活性化装置。
【請求項２】
磁極を対向させた一対の磁石をパイプを隔てて配置した流体の活性化装置において、前記パイプの一対の磁石を隔てる部分を扁平に形成して対向する磁石間の距離を縮小するようにするとともに、前記磁石を隔てるパイプの外周に非磁性体で導電性の金属箔あるいは金属フィルムで金属層を形成し、その金属層を形成する金属箔あるいは金属フィルムとパイプとの間に樹脂製のフィルム層を設けた流体の活性化装置。
【請求項３】
磁極を対向させた一対の磁石をパイプを隔てて配置した流体の活性化装置において、前記パイプの一対の磁石を隔てる部分を扁平に、かつ、径を縮小して形成し、前記磁石の対向する部分の流速を増加させるようにするとともに、前記磁石を隔てるパイプの外周に非磁性体で導電性の金属箔あるいは金属フィルムで金属層を形成し、その金属層を形成する金属箔あるいは金属フィルムとパイプとの間に樹脂製のフィルム層を設けた流体の活性化装置。
【請求項４】
上記磁石の外側に、樹脂製のフィルム層を介して磁石と上記パイプを被う非磁性体で導電性の金属箔あるいは金属フィルム層を設けた請求項１乃至３のいずれかに記載の流体の活性化装置。
【請求項５】
上記流体が水である請求項１乃至３のいずれかに記載の流体の活性化装置。
【請求項６】
上記流体がガソリンまたは軽油である請求項１乃至３のいずれかに記載の流体の活性化装置。
【発明の詳細な説明】
【技術分野】
【０００１】
この発明は、流体の活性化装置に関するものである。
【背景技術】
【０００２】
流体（例えば、水、ガソリン、軽油、灯油など）の分子を小さくすると、浸透性が増したり、不純物が取り除かれたりして活性化できることが知られている。また、流体（特に、水やガソリン）の分子を小さくするには、磁石を使えば良いことが知られており、例えば、磁極を対向させた一対の磁石をパイプを隔てて配置すれば、パイプを通る水のクラスタを小さくできることが知られている。【０００３】
具体的には、図１１（ａ）、（ｂ）（特許文献１）のように、Ｎ極とＳ極とを対向させた一対の磁石１をパイプ２の上下に配置するとともに、パイプ２の左右に非磁性体で導電性の金属板３を配置したものが考えられている。
すなわち、このものでは、水が前記パイプ２を通過すると、前記磁石１の磁束Ｂと流水Ｖ（向き）との直交方向に生じる起電流Ｅを、非磁性体で導電性の金属板３’に誘導帯電させ、この帯電により生じた電子を流水中に放出させるというものである。このとき、放出された電子は、水分子の一部を構成する酸素が電子受容体（イオン）であるため、この酸素に電荷を与えて水の双極性を高める。すると、水素原子の結合角が広くなるので、水分子間の集合密度が増加して還元力のある活性水となり、水の酸化還元電位は低下する。さらに、電子リッチになると水分子の酸素原子に入った電子同士の反発が強くなるので、水素結合が切断されてクラスタが微細化し、水分子はブラウン運動を呈するようになる。同時に、流水中に放出された電子が水を電気分解して弱アルカリ化するというものである。    
【特許文献１】特開２００２−８６１５３号公報
【発明の開示】
【発明が解決しようとする課題】
【０００４】
上記のＮ極とＳ極とを対向させた一対の磁石を配置したものでは、活性化の効率を向上させるためには、磁力の強い磁石を使用して磁束を大きくする方法が考えられる。因みに、このとき、パイプに流す水の圧力を（例えば、バルブを緩めて水の量を増やして）高くして流速を速くすることにより、起電流を大きくする方法も考えられるが、このような方法ではパイプを流れる水の量（活性化する水の量）も増加するので、活性化の効率が向上するか疑問である。しかしながら、使える磁石の磁力の強さには限りがあるため、活性化の向上にも限界を生じる問題があった。【０００５】
そこで、この発明の課題は、磁力の強い磁石に依らずに活性化の向上ができるようにすることである。
【課題を解決するための手段】
【０００６】
上記の課題を解決するため、この発明では、パイプの一対の磁石を隔てる部分の径を縮小して磁石の対向する部分の流速を増加させるようにした構成を採用したのである。
このような構成を採用することにより、パイプの径を縮小して磁石の磁束と鎖交する部分の流速を速くしたので、流量の増加を図らずに活性化の効率を向上できる。【０００７】
また、このとき、パイプの一対の磁石を隔てる部分を偏平に形成して対向する磁石間の距離を縮小した構成を採用することができる。
このような構成を採用することにより、パイプを偏平にして対向する磁石間の距離を縮小したので、磁力の強い磁石に交換することなしにパイプを通過する磁束の密度を高めることができる。このとき、磁束の密度は距離の２剰に反比例するので、少しの距離の短縮でも活性化の効率を大きく向上できる。【０００８】
さらに、パイプの一対の磁石を隔てる部分を偏平に、かつ、径を縮小して形成し、前記磁石の対向する部分の流速を増加させるとともに、対向する前記磁石間の距離を縮小した構成を採用することができる。
このような構成を採用することにより、パイプの断面を偏平にして径を縮小するとともに、磁石間の距離も縮小してパイプを流れる流体の流速を速め、かつ、磁束密度も強くしたので両者の相乗効果で活性化の効率を大幅に向上できる。【０００９】
また、このとき、上記磁石を隔てるパイプの外周に非磁性体で導電性の金属層を設けた構成を採用することができる。
このような構成を採用することにより、金属層は反磁性を呈して磁石の磁界をパイプの中心方向へ集束させることができる。また、摩擦やイオン化などにより生じた流体中の電荷は、流体の流れる方向と直交する磁石の磁界を受けて、その軌道は磁界と流体とに対して直角方向へ曲げられる。そのため、曲げられた電荷の生ずる磁界は、パイプの外周に形成された導体である金属層と直角に鎖交することになり、前記金属層には、電荷の数や速度変化に応じた起電力を生じることになる。このような金属層に生じる起電力は、電荷の持っている運動エネルギーが変換されたものと考えられる。そのため、運動エネルギーの奪われた電荷は、見掛け上流体中に押し戻されると考えられる。この結果、この押し戻された電荷は、例えば、流体が水分子の場合では、水分子の一部を構成する酸素が電子受容体（イオン）であるため、この酸素に電荷を与えて水の双極性を高める。すると、水素原子の結合角が広くなるので、水分子間の集合密度が増加して還元力のある活性水となり、水の酸化還元電位を低下する。さらに、電子リッチになると水分子の酸素原子に入った電子同士の反発が強くなるので、水素結合が切断されてクラスタを微細化し、水分子はブラウン運動を呈するようになる。同時に、流水中に放出された電子が水を電気分解して弱アルカリ化すると考えられる。【００１０】
このとき、上記金属層を非磁性体で導電性の金属箔あるいは金属フィルムで形成した構成を採用することができる。
このような構成を採用することにより、例えば、非磁性体で導電性の金属箔あるいは金属フィルムをパイプに巻き付けることで金属層を形成できる。【００１１】
また、このとき、上記パイプと金属箔あるいは金属フィルム間に樹脂製のフィルム層を設けた構成を採用することができる。
このような構成を採用することにより、パイプと金属層間に設けた樹脂製のフィルム層が、例えば、金属層に錆びなどが発生した場合でも、その錆びなどが直接パイプに影響を及ぼすことを防止する。【００１２】
また、このとき、上記磁石とパイプを収容するハウジングの内側又は外側に非磁性体で導電性の金属層を全面に渡って設けた構成を採用することができる。
このような構成を採用することにより、まず、パイプが外周に非磁性体で導電性の金属層を持たない場合は、ハウジングの内側又は外側に設けた金属層は、前記パイプの外周に設けた金属層と同様に、流体の流れる方向と直交する磁石の磁束の力を受けた流体中の電荷によって起電力を発生し、その発生した起電力によって、電荷を押し戻して例えば、流体が水の場合は、水の双極性を高め、還元力のある活性水として水の酸化還元電位を低下する。また、水分子のクラスタを微細化し、弱アルカリ化することができる。一方、パイプが外周に非磁性体で導電性の金属層を有する場合は、パイプの外周の金属層に起電力が生じると、その起電力によりハウジングの金属層に起電力を生じる。すなわち、このハウジングの金属層とパイプの外周の金属層は相互に誘導しあっており、例えばパイプを流れる水流が変化しても急激な起電力の変動を抑制することができるので、水を効率よく活性化できると考えられる。【００１３】
また、上記磁石の外側に、樹脂製のフィルム層を介して磁石とパイプを被う非磁性体で導電性の金属箔あるいは金属フィルム層を設けた構成を採用することができる。
このような構成を採用することにより、フィルム層が例えば、金属層に錆びなどが発生した場合でも、その錆びなどが直接パイプに影響を及ぼすことを防止する。【００１４】
さらに、このとき、上記流体が水やガソリンあるいは軽油である構成を採用することができる。
【発明の効果】
【００１５】
この発明は、上記のように構成したことにより、水を始め、ガソリン、軽油、灯油などの流体を効率良く活性化することができる。
【図面の簡単な説明】
【００１６】
【図１】実施形態の斜視図
【図２】実施形態の断面図
【図３】図２のIII −III断面図
【図４】実施形態の要部断面図
【図５】実施形態の作用説明図
【図６】実施例１の断面図
【図７】図６の要部拡大図
【図８】（ａ）、（ｂ）実施例２の模式図
【図９】試験方法を示す模式図
【図１０】（ａ）本願の試験結果を示すグラフ、（ｂ）比較例の結果を示すグラフ
【図１１】（ａ）従来例の作用説明図、（ｂ）従来例の断面図
【符号の説明】
【００１７】
１              磁石
２’            パイプ
３              ハウジング
４              バンド
５              偏平部
６、６’        非磁性体の導電性の金属層
６ａ、６ａ’    非磁性体の導電性の金属箔
６ｆ、６ｆ’    樹脂製フィルム
Ａ              活性化装置
【発明を実施するための最良の形態】
【００１８】
以下、この発明の最良の形態を図面に基づいて説明する。
図１及び図２に示すように、この形態の活性化装置Ａは、Ｎ極とＳ極とを対向させた一対の磁石１をパイプ２’を隔てて配置し、そのパイプ２’と磁石１とをハウジング３に収容した構造となっている。【００１９】
前記一対の磁石１は、ここでは、図２のように間隔を置いて２組設けている。各組の磁石１は同じもので、直方体をしたものを使用している。また、磁石１の幅は、後述するように偏平に形成したパイプ２’の幅と同じになるようにして、図３に示すように、例えば鉄などの強磁性体のバンド４で結束して磁気回路を形成し、磁束が漏れなくパイプ２’を通過するようにしている。【００２０】
パイプ２’は、ここでは、樹脂やステンレス（非磁性体）製のパイプを加工して、図２のように２個の偏平部５を形成したもので、前記偏平部５は、先に述べたように幅と長さを磁石１と同じ寸法に形成することにより、磁石１をピタリと隙間なくパイプに当接できるようにしている。また、こうすることにより、上下の磁石１の間の距離を図８（ｂ）の従来のようなパイプ本来の径よりも小さくしているので、パイプ２’を通過する、距離の二乗に反比例する磁束密度Ｂを磁石１を強いものに交換すること無しに高くできる。【００２１】
さらに、偏平部５の断面積は、図３に破線で示すパイプ２’本来の径よりも縮小しているので、この部分を流れる流速を速くできる。また、この部分を過ぎれば径は大きくなるので流速は戻る。したがって、偏平部５を設けて磁石１間の距離を小さくして磁束密度Ｂを高め、さらに、その磁束が通過する偏平部５の径を縮小して流速を速めたので、後述するように活性化の向上が図れる。因みに、パイプ２’の径を縮小する方法については、例えば、径を縮小するようなアダプター（孔の小さな詰め物）を嵌めることも考えられる。【００２２】
また、このパイプ２’の外周には、図２の「イ」を拡大した図４で示すように、非磁性体で導電性の金属層６を設けてある。前記金属層６は、ここでは、厚さ０．５ｍｍ以上の銅のメッキ層で構成しており、図２のように、２つの偏平部５の手前から全周に渡って設けている。なお、ここでは、前記金属層６を２つの偏平部５の手前から設けるようにしたが、前記金属層６は磁束の通る偏平部５に限定しても良い。こうしても良好な効果を得ることは可能と考えられる。また、ここでは金属層６を銅メッキによって構成したが、これに限定されるものではない。銅以外の非磁性体の金属（例えば、金、銀、銅などの）のメッキでも良いし、あるいは、例えば銅箔などの非磁性体（例えば、金、銀、銅など）の金属テープや金属シートを巻き付けたり、貼りつけたりしたものでもよいと考えられる。【００２３】
ハウジング３は、図１に示すように、硬質プラスチックで形成されたカプセル状のもので、カプセルの両端にパイプ２を挿通するための孔が設けてある。また、このカプセルは中央で分離できるようになっており、例えば、分離した左右の部材の一方の分離端に「雄ねじ」を設け、他方の分離端に「雌ねじ」を設けて螺合することにより組立られるようになっている。【００２４】
一方、ハウジング３の内側は全周に渡って非磁性体で導電性の金属層６’（先と同じ例えば、金、銀、銅）が形成されている。前記金属層６’は、先のパイプ２’の外周に設けたものと同じもので、ここでは、厚さ０．５ｍｍ以上の銅のメッキ層で形成している。
なお、ここでは、金属層６’を銅のメッキ層で形成したが、これに限定されるものではなく、これ以外にも、例えば、金、銀など銅以外の非磁性体でも良い。また、メッキ層に代えて、非磁性体（例えば、金、銀、銅など）の金属テープや金属シートを巻き付けたり、貼りつけたりしたものでもよい。【００２５】
また、ここではハウジング３の内側に金属層６’を設けたが、ハウジング３が硬質プラスチックで形成されたものなので、金属層６’をハウジング３の外側に形成しても同様の作用効果が期待できる。【００２６】
この実施形態は、上記のように構成され、カプセル状のハウジング３から突出したパイプ２’を水道の配管に連結する。
このように水道の配管に取り付けられた本願の活性化装置Ａでは、上下の磁石１の間の距離を縮小した偏平部５を通る水道水は、同じ強さの磁石１を使った従来のものに比べて磁束密度Ｂを高くできるので水のクラスタを小さくすることができる。また、その際、パイプ２’の金属層６、６’は反磁性を呈するので磁石１の磁界をパイプ２’の中央へ集束させるように作用する。そのため、パイプ２’を流れる水道水の例えば、摩擦やイオン化などによって水道水中に生じた電荷は、偏平部５で直交する磁石１の磁束と作用して図５のように力Ｆを受け（フレミングの左手の法則）て軌道が曲げられる。【００２７】
すなわち、電荷には、下記の力Ｆが働き電荷の軌道は、磁界と水流に対して直角方向へ曲げられる。
Ｆ＝ｑＶ×Ｂ＝ｑ（Ｖ×Ｂ）    （ここで、ｑ：電荷量、Ｖ：流速、Ｂ：磁束密度）
このとき、偏平部５の流速Ｖは縮小した径によって増速され、さらに、金属層６の非磁性によって強化されたパイプ２’の偏平部５を通る磁束の密度Ｂは、縮小された上下の磁石１の間の距離によって強くなっているため、電荷には大きな力Ｆが作用する。その結果、直角に曲げられた多数の電荷の磁界は、パイプ２’の外周の金属層６と直角に鎖交することになり、前記金属層６には直角に鎖交する電荷の磁界の変化（例えば、電荷の速度や数）に応じた起電力が生じる。このような金属層６に生じる起電力は、電荷が持つ運動エネルギーが変換されたものなので、運動エネルギーの奪われた電荷は水道水中に留まり押し戻された状態になると考えられる。そのため、電荷が、例えばマイナスイオンの場合は、水道水中に放出されると水の双極性を高めて水素原子の結合角を広く、かつ、水分子間の集合密度を増加して還元力の高い活性水となり、水の酸化還元電位を低下させる。さらに、電子リッチになって水分子の酸素原子に入った電子と電子の反発を強くして水素結合を切断し、クラスタを微細化して水分子のブラウン運動を活性化する。同時に、流水中に放出された電子によって水を弱アルカリ化する。【００２８】
一方、先のように起電力がパイプ２’の外周の金属層６に生じると、その起電力によってハウジング３の内側の金属層６’にも起電力が生じると考えられる。【００２９】
すなわち、ハウジング内側の金属層６’とパイプ２’とは、相互に誘導し合っており、例えば、パイプ２’を流れる水道水の電荷が変化しても、起電力の急激な変化を抑制することができると考えられるので効率よく水道水を活性化できる。【００３０】
このように、磁石１を磁束の強いものに変更することなく、水を活性化する際の効率を向上させることができる。【００３１】
なお、実施形態では、非磁性体で導電性の金属層６、６’をパイプ２’の外周とハウジング３の内側に設けたものを示したが、これに限定されるものではなく、どちらか一方に設けるようにしてもよい。例えば、ハウジング３だけに金属層６’を設けたものは、金属層６’がパイプ２’から離れているので起電力は小さくなり、パイプ２’の外周に設けた金属層６と同様の作用が期待できると考えられる。【００３２】
また、実施形態では、永久磁石を用いたが、これに限定されるものではなく、電磁石の使用も可能である。
【実施例１】
【００３３】
次に、実施例１を図６及び図７に示す。
この実施例の活性化装置Ａは、先の形態のパイプ２’の外周の金属層（メッキ層）６に代えて金属箔６ａを使用するとともに、そのパイプ２’の外周と金属箔６ａとの間に図７のように樹脂製のフィルム層６ｆを設け、かつ、ハウジング３の内側の金属層（メッキ層）６’に代えて、磁石１とパイプ２’をフィルム層６ｆ’を介して金属箔６ａ’で被うようにしたものである。【００３４】
すなわち、パイプ２’は、先の形態と同じ樹脂あるいはステンレス（非磁性体）のパイプを加工して２個の偏平部５を形成したもので、前記偏平部５は、磁石１の幅及び長さと同じ寸法にして磁石１をピタリと隙間なくパイプに当接できるようにしたものである。【００３５】
また、このパイプ２’の外周と金属箔６ａとの間に設けられる樹脂製フィルム６ｆには、例えば、塩化ビニル、塩化ビニリデン、塩化エチレンなどを素材としたものを使用することができる。これらのフィルム６ｆをパイプ２’の外周に巻き付けて、パイプ２’の外周と金属箔６ａとが直接接触しないようにカバーしている。このようにすることにより、例えば、金属箔６ａとパイプ２’とが接触して腐食、例えばイオン化傾向の違いなどによって生じないようにするとともに、金属箔６ａにもし錆びが生じても生じた錆びがパイプ２’を流れる水道水に直接影響を及ぼさないようにしてある。【００３６】
金属箔６ａには、ここでは、シート状の銅箔を使用しており、これ以外にも非磁性体の例えば、金、銀などを適用したものを使用できる。さらに、金属箔６ａに代えて非磁性体の例えば銅、金、銀などをフィルムに張り付けたり、蒸着したり、転写して形成した金属フィルムのようなものも使用してもよい。このとき、金属フィルムのフィルム側の面には、例えば、接着剤や粘着剤を塗布しておけば取り付けも容易である。【００３７】
このようにパイプ２’に樹脂製フィルム６ｆを巻き付け、その巻き付けた樹脂製フィルム６ｆの上に銅の金属箔６ａを巻き付ける（テープや接着剤で固定しても良い）。この金属箔６ａを巻き付けたパイプ２’に磁石１を取り付ける。磁石１は図６のように、上下の偏平部５に当接させて強磁性体のバンド４で結束し、偏平部５をサンドイッチするように取り付ける。【００３８】
こうして磁石１の取り付けられたパイプ２’は樹脂製フィルム６ｆ’で被う。さらに、その樹脂製フィルム６ｆ’の上から金属箔６ａ’で被う。【００３９】
前記樹脂製フィルム６ｆ’は、先に述べたパイプ２’の外周を被ったものと同じもので、例えば、塩化ビニル、塩化ビニリデン、塩化エチレンなどを素材としたもので良い。金属箔６ａ’の絶縁を行うとともに、金属箔６ａ’にもし錆びが生じた場合でも、その錆びが内側へ及ぶのを阻止するためのものである。【００４０】
また、金属箔６ａ’は、これも先程述べたものと同じシート状の銅箔を使用しており、シート状の銅箔を樹脂製フィルム６ｆ’の上に重ねて巻き付ける（テープや接着剤で固定しても良い）。こうして金属箔６ａ’を巻き付けるようにしたので、金属層６’をハウジング３の内側に形成（例えば、メッキ層として）するよりも低コストで同様な効果を得ることができる。しかも、金属層６’をハウジング３の内側に形成するよりもパイプ２の金属層６または金属箔６ａに接近させることができるので、より大きな効果が期待できると考えられる。【００４１】
なお、他の構成については、先の実施形態と同じなので、図中の同じ部材には同じ符号を付して詳しい説明は省略する。【００４２】
この実施例は、上記のように構成され、カプセル状のハウジング３から突出したパイプ２’を水道の配管に連結する。【００４３】
このように水道の配管に取り付けられた本願の活性装置は、パイプ２’の外周に巻き付けた金属箔６ａが反磁性を呈して磁石１の磁界をパイプ２’の中心へ集束する。この状態でパイプ２’に水道水が流れると、水道水は上下の磁石１の間の距離を縮小して磁束密度Ｂを高めた偏平部５を通過することによってクラスタが小さくされる。その際、例えば摩擦やイオン化などにより帯電した水道水は、偏平部５で直交する磁石１の磁束が作用して力Ｆを受ける（図２と同様にフレミングの左手の法則）。【００４４】
このとき、偏平部５の流速Ｖは縮小した径によって増速され、さらに、パイプ２’の偏平部５を通る磁束は金属箔６ａの反磁性によって集束され、その集束された磁束密度Ｂは縮小された磁石１間の距離によって、さらに強くなっているため、大きな力Ｆが電荷に作用して軌道を直角に曲げる。【００４５】
そのため、多数の電荷の磁界はパイプ２’の外周に巻き付けた金属箔６’と直角に鎖交することなり、起電力を発生する。このような起電力は、電荷の持つ運動エネルギーが変換されたものと考えられるので、電荷は水道水中に留まり押し戻された状態になると考えられる。その結果、例えば、電荷がマイナスの場合は（マイナスイオン）、水道水中に放出されたマイナスイオンが水の双極性を高めて水素原子の結合角を広く、かつ、水分子間の集合密度を増加して還元力の高い活性水となり、水の酸化還元電位を低下させる。さらに、電子リッチになって水分子の酸素原子に入った電子同士の反発を強くして水素結合を切断し、クラスタを微細化する。そして、水分子のブラウン運動を活性化する。同時に、流水中に放出された電子によって水を弱アルカリ化する。【００４６】
さらに、このとき、前記金属箔６ａに生じた起電力によって、前記金属箔６ａ上に樹脂製フィルム６ｆ’を介して巻き付けた金属箔６ａ’には起電力が誘導されると考えられる。そのため、相互に誘導を行って、例えば水道水中の電荷が増減したような場合でも起電力の急激な変動を抑えることができるので、効率良く水の活性化ができる。【００４７】
このように、磁石１を磁束の強いものに変更することなく、水を活性化する際の効率を向上させることができる。
【実施例２】
【００４８】
この実施例２は、先の形態及び実施例１の活性化装置Ａを図８（ａ）、（ｂ）に示すように、自動車の燃料系と冷却系に適用したものである。例えば、燃料系の場合は、図８（ａ）のように、前記活性化装置Ａを燃料タンク１０とエンジン１１の間の燃料パイプ１２に設けたものである。【００４９】
このようにすることにより、例えば、ガソリンを構成する４〜１１の炭素数を持つ３００以上の炭化水素分子の例えば、電子受容体となる分子のクラスタを細分化して燃焼しやすくすることで、燃費の向上と低公害化を図ろうとするものである。【００５０】
また、このようにガソリンを燃焼しやすくできるので、ディーゼル車に適用して使用する軽油のクラスタを細分化して燃焼しやすくすれば、ＰＡＭの発生を低減できる。【００５１】
一方、冷却系の場合は、例えば、図８（ｂ）のように、ラジエーター１３とエンジン１１の間の冷却パイプ１４に前記装置Ａを設けることにより、冷却水を還元力のある活性水にして錆びの発生を抑えたり、冷却水を弱アルカリ化したりして汚れの付着を防止しようとするものである。【００５２】
なお、この実施例２では、活性化装置Ａをパイプ１２、１４に取り付けるものを示したが、これに限定されるものではなく、燃料パイプ１２や冷却パイプ１４に直接磁石を取り付けられるようにするとともに、金属層６を設けるようにすることもできる。
【実施例３】
【００５３】
次に、この装置の有効性を確かめるため以下のような試験を行った。
１．パイプの磁石を隔てる部分の対向する磁石間の距離の縮小が有効かどうかを確認するため、図９のような試験を行った。
試験方法
本願発明を模して磁石１を対向させ、その対向させた磁石１にバックヨーク４’を取り付けた。そして、その対向させた磁石１間の距離（ギャップ）を１０ｍｍと２０ｍｍにして、その磁石１間の中点の磁束密度をプローブＴを挿入してガウスメータ（電子磁気工業（株）社製：ＧＭ１１２５）で測定した。
ここで、磁石１は、２５．４×２５．４×ｔ１２．７ｍｍのサイズのネオジウム磁石（１．２６００〜１．３０３０Ｔ）のものを使用した。バックヨーク４’は、図の上方をｔ１２×３２×９０ｍｍで、下方をｔ９×６５×１００ｍｍの鉄製の板を使用した。
結果を以下に示す。
ギャップ        磁石中間部の磁束密度
１０ｍｍ          ７１００（Ｇ）
２０ｍｍ          ３９００（Ｇ）
この結果から磁石間の距離の縮小が有効であることが分かった。【００５４】
２．本願の発明に基づいて試作したものを使用して有効性を試験した。
試料
試験品は、本願の図２のタイプのもので、全長３２０ｍｍ、偏平部５の径１９．６ｍｍ×３５ｍｍ、それ以外のパイプ２’の径は２７．３ｍｍであった。また、パイプ２’の金属層６を磁束の通る二つの偏平部５に限定したものを使用した。
また、試験品に使用した磁石１は、２５．４×２５．４×ｔ１２．７ｍｍのネオジウム磁石で、１．２６００〜１．３０３０Ｔのものであった。
試験方法
試験品に水道水を通過させたのち、５分経過した試料水と、試験品を通過していない水道水とを雰囲気中に噴霧して、その噴霧をイオンカウンタで測定した。
測定器
フィーサ（株）製：エアーイオンカウンター  ＦＩＣ−２０００
結果
結果を図１０（ａ）、（ｂ）に示す。またそのイオンの平均値を下記に示す。
図１０（ａ）は、本願の試料水のグラフで、同図（ｂ）は水道水の測定データである。また、図１０（ａ）、（ｂ）で符号ａは、マイナスイオンの測定量を示すもので、符号ｂはマイナスイオンの平均値を示す。同符号ｃはプラスイオンの測定量を示すもので、同符号ｄはプラスイオンの平均値を示すものである。
測定値（個／ｃｃ）
試料      区分    プラスイオン      マイナスイオン
試料水    噴霧      ５，９０５        ７，８００
水道水    噴霧      ８，１１８        ６，５１１
以上の結果から、この試作品を通過した試料水は、通常の水道水に比べてプラスイオンが減少してマイナスイオンが増加したことがわかる。このように両者に顕著な差が現れたことにより、試料水が活性化されたことがわかる。よって、本願発明が有効なことが分かった。
【産業上の利用可能性】
【００５５】
この発明は、流体である例えば、水を活性化させて、飲料、栽培、工業用の上水に適した処理水を提供できるが、これら上水の分野以外にも汚水の浄化などの分野にも広く利用可能である。また、ガソリン以外の灯油などの液体燃料にも適用できると考えられる。
【図１】
0004327847.tif 000002
【図２】
0004327847.tif 000003
【図３】
0004327847.tif 000004
【図４】
0004327847.tif 000005
【図５】
0004327847.tif 000006
【図６】
0004327847.tif 000007
【図７】
0004327847.tif 000008
【図８】
0004327847.tif 000009
【図９】
0004327847.tif 000010
【図１０】
0004327847.tif 000011
【図１１】
0004327847.tif 000012